(57)【要約】【課題】放送波を中継する中継局の状態を監視し、異常時にはその旨を使用者に通知する監視装置において、中継局の電源線の断線時にその旨を速やかに検出できるようにする。【解決手段】監視装置２０には、中継局からの電波を受信する受信アンテナ２２、中継局の電源線に流れる電流が正常か否かを判定する電流クランプ２４、及び警報機２６が接続され、監視装置２０内部には、受信信号の中から所定の放送信号を選局するチューナ３２、チューナ３２で選局された放送信号の信号レベル及びＭＥＲを検出する検出部３４，３６、及び、制御部４０が設けられている。制御部４０は、チューナ３２に所定の放送信号を選局させて検出部３４，３６から検出結果を取り込むことで、中継局からの放送波の送信が正常か否かを判定し、電流クランプ２４からの検出信号に基づき中継局の電源系統が正常か否かを判定し、何れかの異常を判定すると警報機２６を介して異常を報知する。【選択図】図２
2012023709.tif 000002
【特許請求の範囲】
【請求項１】
放送波を中継する中継局からの送信電波を受信する受信アンテナと、
前記受信アンテナからの受信信号の中から所定の放送信号を選局する選局手段と、
前記選局手段に対し、予め設定された１又は複数の放送信号を選局させ、その選局された放送信号が正常であるか否かを判定する放送信号判定手段と、
前記放送信号判定手段にて、前記選局手段に選局させた放送信号に異常があると判断されると、使用者に対し前記中継局の異常を通知する異常通知手段と、
を備えた中継局の監視装置において、
前記中継局に対し電源供給を行う電源線に設けられ、該電源線に流れる電流が正常であるか否かを判定する１又は複数の電流判定手段を備え、
前記異常通知手段は、前記電流判定手段にて前記電源線に流れる電流が異常であると判断されたときにも、使用者に対し前記中継局の異常を通知することを特徴とする中継局の監視装置。
【請求項２】
前記異常通知手段は、前記放送信号判定手段にて、一旦、前記選局手段に選局させた放送信号が全て正常であると判断されてから、前記放送信号判定手段及び前記電流判定手段による判定結果に基づく前記中継局の監視動作を開始することを特徴とする請求項１に記載の中継局の監視装置。
【請求項３】
前記異常通知手段は、前記１又は複数の電流判定手段にて電流が正常であると判定され、且つ、前記選局手段に選局させた放送信号が全て正常であると判断されてから、前記放送信号判定手段及び前記電流判定手段による判定結果に基づく前記中継局の監視動作を開始することを特徴とする請求項１に記載の中継局の監視装置。
【請求項４】
当該監視装置に電源供給を行うバッテリの出力電圧を検出するバッテリ電圧検出手段を備え、
前記異常通知手段は、前記バッテリ電圧検出手段にて検出されたバッテリ電圧が、電圧低下判定用の閾値以下になったときには、使用者に対し当該監視装置のバッテリ低下を通知することを特徴とする請求項１〜請求項３の何れか１項に記載の中継局の監視装置。
【発明の詳細な説明】
【技術分野】
【０００１】
本発明は、放送波を中継する中継局からの送信電波を受信することにより中継局の動作状態を監視し、その中継局の異常時にはその旨を使用者に通知する中継局の監視装置に関する。
【背景技術】
【０００２】
従来、テレビ放送波を中継する中継局からの送信電波を受信アンテナにて受信し、チューナを用いて、その受信信号の中から監視対象となる放送チャンネルの放送信号を選局・復調することで、中継局からテレビ放送波が正常に送信されているか否かを監視する監視装置が知られている（例えば、特許文献１等参照）。
【０００３】
そして、この監視装置においては、テレビ放送波の異常を判定すると、その旨（中継局の異常）をインターネット経由で使用者（中継局の管理者等）に通知するようにされていることから、当該監視装置の使用者は、中継局の異常を検知して、中継局の復旧作業に入ることができる。
【先行技術文献】
【特許文献】
【０００４】
【特許文献１】特開２００６−２７９２５９号公報
【発明の概要】
【発明が解決しようとする課題】
【０００５】
上記監視装置は、中継局の運用時に、落雷等で中継局に異常が生じたことを監視するためのものであるが、例えば、テレビのアナログ放送波を中継する中継局を、デジタル放送波を中継可能に改修する場合等、中継局の各種改修工事を行う際にも、異常の通知先を、改修工事を行う作業者の携帯端末にすることで、改修工事後の確認に利用することができる。
【０００６】
ところで、こうした中継局の改修工事の際には、アンテナや増幅器等の中継用機材の設置・交換を行うことから、中継局の局舎内に配線されている商用電源の電源線を切断してしまうことがある。
【０００７】
そして、電源線が切断されると、局舎内に設置されている増幅器等の電子機器が動作しなくなって、中継局から放送波が送信されなくなるので、上記監視装置で中継局の異常を検出することができる。
【０００８】
しかし、中継局には、通常、商用電源の停電により放送波を中継できなくなるのを防止するため、バッテリを内蔵した無停電電源が設けられている。
このため、改修工事の際に電源線が切断されていても、その後、しばらくの間は、無停電電源からの電力供給によって、中継局からの放送波の送信が継続される。
【０００９】
この結果、改修工事を行った作業者が、従来の監視装置を利用して、改修工事後の中継局の異常を確認するようにしても、電源線の切断による異常は検出することができず、電源線が断線している場合には、改修工事完了後、数時間が継続してから、中継局から放送波が送信されなくなってしまう。
【００１０】
そして、このように改修工事完了後、数時間が経過してから、中継局からの放送波の送信が停止した場合、作業者は、中継局の局舎の設置場所（一般に山頂等の交通の不便な場所）から離れているため、中継局の管理者は、改修作業者を再度中継局に向かわせる必要があり、中継局から放送波を送信できるようになるまでの停波時間が長くなってしまう、という問題があった。
【００１１】
本発明は、こうした問題に鑑みなされたものであり、放送波を中継する中継局の状態を監視し、異常時にはその旨を使用者に通知する中継局の監視装置において、中継局の電源線の断線時にその旨を速やかに検出できるようにすることを目的とする。
【課題を解決するための手段】
【００１２】
かかる目的を達成するためになされた請求項１に記載の発明は、
放送波を中継する中継局からの送信電波を受信する受信アンテナと、
前記受信アンテナからの受信信号の中から所定の放送信号を選局する選局手段と、
前記選局手段に対し、予め設定された１又は複数の放送信号を選局させ、その選局された放送信号が正常であるか否かを判定する放送信号判定手段と、
前記放送信号判定手段にて、前記選局手段に選局させた放送信号に異常があると判断されると、使用者に対し前記中継局の異常を通知する異常通知手段と、
を備えた中継局の監視装置において、
前記中継局に対し電源供給を行う電源線に設けられ、該電源線に流れる電流が正常であるか否かを判定する１又は複数の電流判定手段を備え、
前記異常通知手段は、前記電流判定手段にて前記電源線に流れる電流が異常であると判断されたときにも、使用者に対し前記中継局の異常を通知することを特徴とする。
【００１３】
また、請求項２に記載の発明は、請求項１に記載の中継局の監視装置において、前記異常通知手段は、前記放送信号判定手段にて、一旦、前記選局手段に選局させた放送信号が全て正常であると判断されてから、前記放送信号判定手段及び前記電流判定手段による判定結果に基づく前記中継局の監視動作を開始することを特徴とする。
【００１４】
また、請求項３に記載の発明は、請求項１に記載の中継局の監視装置において、前記異常通知手段は、前記１又は複数の電流判定手段にて電流が正常であると判定され、且つ、前記選局手段に選局させた放送信号が全て正常であると判断されてから、前記放送信号判定手段及び前記電流判定手段による判定結果に基づく前記中継局の監視動作を開始することを特徴とする。
【００１５】
また、請求項４に記載の発明は、請求項１〜請求項３の何れか１項に記載の中継局の監視装置において、当該監視装置に電源供給を行うバッテリの出力電圧を検出するバッテリ電圧検出手段を備え、前記異常通知手段は、前記バッテリ電圧検出手段にて検出されたバッテリ電圧が、電圧低下判定用の閾値以下になったときには、使用者に対し当該監視装置のバッテリ低下を通知することを特徴とする。
【発明の効果】
【００１６】
請求項１に記載の監視装置においては、放送信号判定手段が、選局手段に対し、予め設定された１又は複数の放送信号を選局させ、その選局された放送信号が正常であるか否かを判定する。そして、この放送信号判定手段にて、選局手段に選局させた放送信号に異常があると判断されると、異常通知手段が、使用者に対し中継局の異常を通知する。
【００１７】
このため、本発明の監視装置によれば、上述した従来の監視装置と同様、中継局から放送波の送信が停止されたこと（停波）を検出して、使用者に通知することができる。
また、本発明の監視装置には、中継局に対し電源供給を行う電源線に設けられて、この電源線に流れる電流が正常であるか否かを判定する１又は複数の電流判定手段が備えられている。そして、異常通知手段は、この電流判定手段にて電源線に流れる電流が異常であると判断されたときにも、使用者に対し中継局の異常を通知する。
【００１８】
このため、電源線の断線若しくは短絡等によって、電源線を流れる電流に異常が生じた際には、中継局が無停電電源からの電源供給により正常に動作している場合であっても、商用電源から中継局への電源供給の異常を検知して、その旨を使用者に通知できることになる。
【００１９】
よって、本発明の監視装置によれば、中継局の改修作業後の動作確認用として利用することで、商用電源の電源線に異常があるか否かを速やかに確認できるようになり、従来のように、その電源線の異常を検出するのに時間がかかり、中継局からの放送波の停波時間が長くなるのを防止できる。
【００２０】
次に、請求項２に記載の監視装置によれば、異常通知手段は、放送信号判定手段にて選局手段に選局させた放送信号が全て正常であると判断されてから、放送信号判定手段及び電流判定手段による判定結果に基づく中継局の監視動作を開始する。
【００２１】
このため、請求項２に記載の監視装置によれば、当該監視装置を設置して起動しても、放送信号判定手段に設定された監視対象となる放送信号を全て正常に受信できるようになるまでは、中継局の監視動作に入らないので、使用者（この場合、監視装置を設置した作業者）が、監視対象となる放送信号（詳しくは、放送チャンネルや放送周波数等）を誤って設定した際に、異常が通知されるようなことはない。また、作業者は、監視装置が中継局の監視動作に入らないことから、放送チャンネル等の設定ミスを確認することができる。
【００２２】
一方、請求項３に記載の監視装置によれば、異常通知手段は、１又は複数の電流判定手段にて電流が正常であると判定され、且つ、選局手段に選局させた放送信号が全て正常であると判断されてから、放送信号判定手段及び前記電流判定手段による判定結果に基づく中継局の監視動作を開始する。
【００２３】
このため、請求項３に記載の監視装置によれば、選局手段に選局された放送信号が全て正常（換言すれば中継局の動作が正常）であるにもかかわらず、当該監視装置に設けられる１又は複数の電流判定手段による検出結果に異常がある場合には、中継局の監視動作が開始されないことになる。
【００２４】
従って、請求項３に記載の監視装置によれば、請求項２と同様の効果に加え、使用者（監視装置を設置した作業者）は、中継局の監視動作が開始されないことによって、中継局への電源供給経路や、電流判定手段の動作を確認することになり、監視動作開始前の最終チェックを実施させることができる。
【００２５】
次に、請求項４に記載の監視装置には、当該監視装置に電源供給を行うバッテリの出力電圧を検出するバッテリ電圧検出手段が備えられており、異常通知手段は、バッテリ電圧検出手段にて検出されたバッテリ電圧が電圧低下判定用の閾値以下になったときには、監視装置の使用者（この場合、監視装置設置後の管理者）に対し当該監視装置のバッテリ低下を通知する。
【００２６】
従って、請求項４に記載の監視装置によれば、管理者に対し、監視装置自身の動作停止を予告することができ、管理者は、その通知を受けて監視装置のバッテリ交換等、適切な対応をとることができる。
【図面の簡単な説明】
【００２７】
【図１】実施形態の監視装置が設置された中継局全体の構成を表す概略構成図である。
【図２】実施形態の監視装置の内部構成を表すブロック図である。
【図３】実施形態の監視装置の制御部４０にて実行される監視状態通知処理を表すフローチャートである。
【発明を実施するための形態】
【００２８】
以下に本発明の実施形態を図面と共に説明する。
図１に示すように、本実施形態の監視装置２０は、地上波によるテレビ放送やＦＭ放送等を中継する中継局２の状態を監視し、中継局に異常が生じた際には、使用者にその旨を通知するためのものである。
【００２９】
ここで、中継局２は、局舎４と、局舎４の屋上（若しくは周囲）に設置された各種中継用のアンテナ装置６を備える。そして、局舎４内には、中継する放送信号のレベル調整等、中継用の各種信号処理を行うための放送機器８や、電力会社の電柱１０から引き込まれた電源線１２を介して商用電源を取り込み、放送機器駆動用の電源電圧を生成する無停電電源装置１４が設けられている。なお、無停電電源装置１４には、商用電源の停電時に放送機器８に電源供給を行うためのバッテリ１６が設けられており、無停電電源装置１４は、商用電源から電源供給を受けているとき、バッテリ１６が満充電状態となるよう適宜充電する。
【００３０】
また監視装置２０には、中継局２のアンテナ装置６から送信された放送電波を受信するための受信アンテナ２２、中継局２に電源供給を行う電源線１２周囲に取り付けられて、電源線１２に予め設定された閾値以上の電流が流れているか否かを判定する非接触式の電流クランプ２４、及び、中継局２の異常を警報音と回転式の警報ランプにて周囲に報知する警報機２６が接続されている。
【００３１】
次に、監視装置２０は、図２に示すように構成されている。
すなわち、監視装置２０には、受信アンテナ２２からの受信信号の中から所定の放送信号を選局するためのチューナ３２、このチューナ２２にて選局された放送信号の信号レベルを検出するレベル検出部３４、チューナ２２にて選局された放送信号がデジタル放送である場合に、その受信信号のＭＥＲ（Modulation Error Ratio：変調エラー率）を検出するＭＥＲ検出部３６、携帯電話用の無線回線を介してデータ通信を行うための無線端末３８、及び、これら各部に接続された制御部４０が備えられている。
【００３２】
制御部４０は、ＣＰＵ、ＲＯＭ、ＲＡＭ、各種インターフェースからなるマイクロコンピュータにて構成されており、電流クランプ２４及び警報機２６にも接続されている。
また、監視装置２０の筐体には、使用者に対するマンマシンインターフェースとして、制御部４０に対し監視用の各種設定を行うための操作部４２と、制御部４０からの出力により監視用の設定状態や放送信号の受信状態等を表示するための表示部４４とが設けられている。
【００３３】
そして、監視装置２０を構成する上記各部は、監視装置２０に内蔵されたバッテリ４６から電源供給を受けて動作するように構成されており、制御部４０は、このバッテリ４６からの出力電圧（バッテリ電圧）についても監視できるようにされている。
【００３４】
以下、このように構成された本実施形態の監視装置２０において、制御部４０が、中継局２の状態やバッテリ４６の状態を監視して、監視結果を使用者等に報知する手順について、図３に示すフローチャートに沿って説明する。
【００３５】
図３は、制御部４０において繰り返し実行される監視状態報知処理を表すフローチャートである。
なお、制御部４０は、チューナ３２に選局させる放送信号として、テレビのアナログ放送（ＶＨＦ：ｃｈ１〜ｃｈ１２・ＵＨＦ：ｃｈ１３〜ｃｈ６２）で最大１６チャンネル、テレビのデジタル放送（ＵＨＦ：ｃｈ１３〜ｃｈ６２）で最大１６チャンネル、及び、ＦＭ放送（７６〜９０ＭＨｚ）で最大８波を設定できるように構成されている。
【００３６】
そして、以下の説明では、操作部４２を介して選局対象（換言すれば監視対象）となる放送信号が既に設定されているものとする。
図３に示すように、監視状体報知処理が開始されると、まずＳ１１０（Ｓはステップを表す）にて、放送信号の異常判定処理を行う。
【００３７】
この異常判定処理は、チューナ３２に対し、予め設定されたチャンネル若しくは周波数の放送信号を順次選局させて、レベル検出部３４を介してその選局した放送信号の受信レベルを読み込み、その読み込んだ各放送信号の受信レベルが正常であるか否かを判定する、といった手順で実行される。
【００３８】
なお、この異常判定処理による受信レベルの監視結果は、表示部４４に初期設定用の色（例えば黒色）で表示される。
次に、続くＳ１２０では、Ｓ１１０の異常判定処理にて、監視対象となる放送信号の受信レベルが全て正常になったか否かを判定し、監視対象となる放送信号の一つでも受信レベルが異常であれば、再度Ｓ１１０に移行することにより、監視対象となる全ての放送信号の信号レベルが正常になるのを待つ。
【００３９】
そして、Ｓ１２０にて、監視対象となる全ての放送信号の受信レベルが正常であると判定されると、Ｓ１３０に移行して、監視対象となる放送信号の信号レベル、中継局２への電源供給状態、当該監視装置２０におけるバッテリ電圧、等を監視する監視処理を起動する。
【００４０】
この監視処理は、制御部４０において、当該監視状態報知処理とは並列に実行される処理であり、本実施形態では、以下の手順で実行される。
すなわち、監視処理では、まず、チューナ３２に対し、上記のように設定された監視対象となるチャンネル若しくは周波数の放送信号を順次選局させ、レベル検出部３４を介してその選局した放送信号の受信レベルを読み込む。また、テレビのデジタル放送については、監視対象としてＭＥＲを設定できるようにされており、ＭＥＲが設定されている場合には、その放送信号のＭＥＲをＭＥＲ検出部３６から読み込む。
【００４１】
そして、このように、各放送信号の受信レベル若しくはＭＥＲを読み込むと、制御部４０は、予め設定された閾値に基づき、その読み込んだ受信レベル若しくはＭＥＲは正常であるか否かを判定し、その判定結果をメモリ（ＲＡＭ等）に記憶する。
【００４２】
また、監視処理では、こうした放送信号の監視とは別に、電流クランプ２４からの検出信号に基づき、中継局２への電源供給状態を監視する電源監視、及び、当該監視装置２０におけるバッテリ電圧の低下を監視するバッテリ監視も行われる。そして、これらの監視結果も、放送信号の監視結果と同様、メモリ（ＲＡＭ等）に記憶に記憶される。
【００４３】
なお、Ｓ１３０にて監視処理を起動した際には、現在監視動作中であることを監視装置２０の操作者に通知するため、表示部４４に表示する監視結果の表示色を、初期設定用の色や後述の異常報知用の色とは異なる色（例えば、青色）に変更する。
【００４４】
上記のように、Ｓ１３０にて監視処理を起動すると、放送信号の信号レベル、中継局２への電源供給状態、当該監視装置２０におけるバッテリ電圧が監視され、その監視結果がメモリに記憶されることから、続くＳ１４０では、メモリに記憶された監視結果を確認することで、監視処理にて異常が検出されたか否かを判定することにより、異常が発生するのを待つ。
【００４５】
そして、Ｓ１４０にて、監視処理により異常が検出されたと判定すると、続くＳ１５０にて、表示部４４に表示する監視結果の表示色を、上述した初期設定用の色や通常監視の際の色とは異なる色（例えば、赤色）に変更する。
【００４６】
また続くＳ１６０では、警報機２６を動作させて警報音及び警報ランプにより異常を周囲に報知する警報機作動処理を実行し、続くＳ１７０では、無線端末３８から予め設定されたメールアドレス（詳しくは、監視装置の設置作業や中継局の改修工事を行う作業者、監視装置若しくは中継局の管理者等が所有する携帯電話や情報端末のメールアドレス）に異常内容を表すメールを送信させる。
【００４７】
なお、本実施形態では、異常発生時に警報機２６を動作させるか、無線端末３８からメールを送信させるかは、予め設定できるようになっており、その設定がなされていない場合には、Ｓ１６０、Ｓ１７０の処理は実行されず、そのまま次ステップに移行する。
【００４８】
次に、Ｓ１８０では、警報機２６が作動中か否か（換言すれば、Ｓ１６０の処理にて警報機２６が作動されたか否か）を判断する。
そして、警報機２６が作動中であれば、近くに作業者がいる筈であるので、Ｓ１９０に移行して、操作部４２を介して警報機２６の停止指令が入力されるのを待ち、停止指令が入力されると警報機２６を停止させる処理を実行する。
【００４９】
次に、Ｓ１９０にて、警報機２６が停止されるか、或いは、Ｓ１８０にて、警報機２６は作動していないと判断されると、Ｓ２００に移行し、Ｓ１４０にて、監視処理にて異常が検出されたと判定されてから予め設定された設定時間（例えば３分）が経過しているか否かを判断する。
【００５０】
そして、設定時間が経過していなければ、Ｓ２００の判定処理を繰り返し実行することで、設定時間が経過するのを待ち、設定時間が経過すると、Ｓ２１０に移行し、Ｓ１４０にて異常検出を判定した異常内容は、正常に復帰したか否かを判断する。
【００５１】
つまり、監視処理による監視対象は、周囲環境の変化に伴う一時的な停波や、商用電源の瞬断等によって、異常が検出されても自動で復帰することもあるし、作業者の対応により復帰することもある。
【００５２】
このため、Ｓ２１０では、監視処理にて検出された異常が復帰したか否かを判断することで、正常復帰するのを待つのである。
そして、Ｓ２１０にて、正常復帰が判定されると、Ｓ２２０に移行して、表示部４４に表示する監視結果の表示色を、通常の監視状態の色（例えば、青色）に戻し、Ｓ２３０にて、復帰メールを送信し、Ｓ１４０に移行する。
【００５３】
なお、この復帰メールの送信は、メール送信が設定されているときにＳ１７０にて異常メールを送信した送信先に送信する。
また、Ｓ１４０〜Ｓ２３０の一連の処理は、監視処理にて何らかの異常が検出されたときに、その検出内容毎に実行される処理であり、例えば、監視処理にて、２つの放送信号の異常が個々に検出された際には、その異常内容毎に別ルーチンにてＳ１４０〜Ｓ２３０の処理が実行される。
【００５４】
そして、表示部４４の表示色の切り換えは、正常復帰よりも異常検知を優先して行われ、２つの異常の内、一方が正常復帰しても、他方が異常状態であれば、異常状態の表示色（例えば赤色）に設定される。
【００５５】
以上説明したように、本実施形態の監視装置２０によれば、中継局２から放送波の送信が停止されたこと（停波）を検出して、使用者（詳しくは登録された通知対象者）に通知することができるだけでなく、中継局２に電源供給を行う電源線１２に正常に電流が流れず、局舎４内の電源系統に異常が生じた際には、中継局２から放送波が正常に送信されている場合であっても、局舎４内の電源系統の異常を使用者（通知対象者に）通知することができる。
【００５６】
よって、本実施形態の監視装置２０によれば、中継局２の改修作業後の動作確認用として利用することで、局舎４内の電源系統に異常が生じたことを速やかに検出して、中継局２からの放送波の停波時間が長くなるのを防止できる。
【００５７】
また、本実施形態の監視装置２０によれば、バッテリ４６の電圧低下を検出して、その旨を使用者に通知することができるので、使用者に対し、監視装置２０自身の動作停止を予告することができ、使用者は、その通知を受けて監視装置２０のバッテリ交換等、適切な対応をとることができる。
【００５８】
また、本実施形態の監視装置２０によれば、監視対象となる放送信号を全て正常に受信できるようになるまでは、中継局２の監視動作に入らないので、使用者が、監視対象となる放送信号（詳しくは、放送チャンネルや放送周波数等）を誤って設定した際に、異常が通知されるようなことはない。また、使用者は、監視装置２０が中継局２の監視動作に入らないことから、放送チャンネル等の設定ミスを確認することができる。
【００５９】
また、本実施形態の監視装置２０によれば、表示部４４に監視結果を表示し、しかも、監視状態に応じて、表示画面の表示色を変化させることから、使用者は、その表示部４４の表示色から速やかに監視状態を確認できる。
【００６０】
また、一旦異常が検出され、直ぐに正常復帰したとしても、Ｓ２００の処理により、所定の設定時間だけは、表示部４４の表示色が異常表示状態になるので、近くに作業者がいる場合、一時的な異常があったことを表示色で通知でき、使い勝手を向上できる。
【００６１】
なお、本実施形態においては、チューナ３２が、本発明の選局手段に相当し、警報機２６及び無線端末３８が、本発明の異常通知手段に相当し、電流クランプ２４が、本発明の電流判定手段に相当する。また、制御部４０は、本発明の放送信号判定手段、異常通知手段、バッテリ電圧検出手段として機能する。
【００６２】
以上、本発明の一実施形態について説明したが、本発明は上記実施形態に限定されるものではなく、本発明の要旨を逸脱しない範囲内にて、種々の態様を採ることができる。
例えば、上記実施形態では、Ｓ１２０にて、監視対象となる全放送信号が正常であることが確認されてから、監視処理を起動するものとして説明したが、監視処理を起動する条件として、全放送信号が正常であることに加えて、電流クランプ２４からの検出信号に基づき中継局２への電源供給状態が正常であることを確認できたこと、を追加してもよい。
【００６３】
そして、このようにすれば、放送信号が全て正常であるにもかかわらず、中継局への電源供給状態が異常であるので、使用者（監視装置２０を設置した作業者）は、中継局２への電源線１２や電流クランプ２４の動作を確認することになり、監視処理開始前の最終チェックを実施させることができる。
【符号の説明】
【００６４】
２…中継局、４…局舎、６…アンテナ装置、８…放送機器、１０…電柱、１２…電源線、１４…無停電電源装置、１６…バッテリ、２０…監視装置、２２…チューナ、２２…受信アンテナ、２４…電流クランプ、２６…警報機、３２…チューナ、３４…レベル検出部、３６…ＭＥＲ検出部、３８…無線端末、４０…制御部、４２…操作部、４４…表示部、４６…バッテリ。
【図１】
2012023709.tif 000003
【図２】
2012023709.tif 000004
【図３】
2012023709.tif 000005